(57)【特許請求の範囲】
【請求項１】
ネットワーク上でサーバからコンテンツを取得するためのクライアント端末が、サーバの１つとして認識することができるように自機器を前記ネットワークに接続するための接続手段と、
前記接続手段を介して前記クライアント端末から供給されるコンテンツリスト取得要求に基づき、放送に関するサービス情報から生成したチャンネルリストを、前記接続手段を介して前記クライアント端末に送信するチャンネルリスト送信手段と、
前記チャンネルリスト送信手段で送信したチャンネルリストに基づいて前記クライアント端末が生成した、チャンネルリスト表示領域を有するＧＵＩ画面を映像表示器に表示させる第１のＧＵＩ画面表示手段と、
前記第１のＧＵＩ画面表示手段で表示されたＧＵＩ画面のチャンネルリスト表示領域に表示されているチャンネルのリストから、前記クライアント端末に対する操作によって特定のチャンネルが選択され、前記クライアント端末が映像表示領域を有するＧＵＩ画面を生成した際、そのＧＵＩ画面の映像表示領域に組み込まれて当該映像表示領域のＧＵＩ画面内における位置及びサイズを識別するための基準信号を、前記接続手段を介して前記クライアント端末に送信する基準信号送信手段と、
前記基準信号送信手段で送信した基準信号を前記クライアント端末が映像表示領域に組み込んで生成したＧＵＩ画面内から前記基準信号を抽出して、当該ＧＵＩ画面内における映像表示領域の位置及びサイズを検出する検出手段と、
前記クライアント端末に対する操作によって選択されたチャンネルを受信し、そのチャンネルの映像を前記検出手段で検出された映像表示領域に組み込んだＧＵＩ画面を前記映像表示器に表示させる第２のＧＵＩ画面表示手段とを具備することを特徴とする放送受信装置。
【請求項２】
前記クライアント端末が前記ネットワーク上からサーバを検出することにより生成したサーバ選択用のＧＵＩ画面を前記映像表示器に表示させる第３のＧＵＩ画面表示手段を備え、
前記第３のＧＵＩ画面表示手段で表示されるＧＵＩ画面には、前記接続手段により前記クライアント端末がサーバの１つとして認識した前記自機器が、選択可能なサーバとして含まれることを特徴とする請求項１記載の放送受信装置。
【請求項３】
前記第３のＧＵＩ画面表示手段で表示されたＧＵＩ画面の、前記自機器を含むサーバリストから、前記クライアント端末に対する操作によって前記自機器を含む特定のサーバが選択されることを特徴とする請求項２記載の放送受信装置。
【請求項４】
前記クライアント端末が生成するＧＵＩ画面は、前記ネットワークとは別に設けられた特定のデジタルインターフェースを介して入力されることを特徴とする請求項１記載の放送受信装置。
【請求項５】
前記クライアント端末が生成するＧＵＩ画面は、前記ネットワークを介して入力されることを特徴とする請求項１記載の放送受信装置。
【請求項６】
ネットワーク上でサーバからコンテンツを取得するためのクライアント端末が、サーバの１つとして認識することができるように放送受信装置を前記ネットワークに接続する第１の工程と、
前記ネットワークを介して前記クライアント端末から供給されるコンテンツリスト取得要求に基づき、放送に関するサービス情報から生成したチャンネルリストを、前記ネットワークを介して前記クライアント端末に送信する第２の工程と、
前記第２の工程で送信したチャンネルリストに基づいて前記クライアント端末が生成した、チャンネルリスト表示領域を有するＧＵＩ画面を映像表示器に表示させる第３の工程と、
前記第３の工程で表示されたＧＵＩ画面のチャンネルリスト表示領域に表示されているチャンネルのリストから、前記クライアント端末に対する操作によって特定のチャンネルが選択され、前記クライアント端末が映像表示領域を有するＧＵＩ画面を生成した際、そのＧＵＩ画面の映像表示領域に組み込まれて当該映像表示領域のＧＵＩ画面内における位置及びサイズを識別するための基準信号を、前記ネットワークを介して前記クライアント端末に送信する第４の工程と、
前記第４の工程で送信した基準信号を前記クライアント端末が映像表示領域に組み込んで生成したＧＵＩ画面内から前記基準信号を抽出して、当該ＧＵＩ画面内における映像表示領域の位置及びサイズを検出する第５の工程と、
前記クライアント端末に対する操作によって選択されたチャンネルを受信し、そのチャンネルの映像を前記第５の工程で検出された映像表示領域に組み込んだＧＵＩ画面を前記映像表示器に表示させる第６の工程とを具備することを特徴とする放送受信方法。
【請求項７】
ネットワーク上でサーバからコンテンツを取得するためのクライアント端末が、サーバの１つとして認識することができるように放送受信装置を前記ネットワークに接続させる接続手段と、
前記接続手段を介して前記クライアント端末から供給されるコンテンツリスト取得要求に基づき、前記放送受信装置が放送に関するサービス情報から生成したチャンネルリストを、前記接続手段を介して前記クライアント端末に送信させるチャンネルリスト送信手段と、
前記チャンネルリスト送信手段で送信したチャンネルリストに基づいて前記クライアント端末が生成した、チャンネルリスト表示領域を有するＧＵＩ画面を、前記放送受信装置に入力させて映像表示器に表示させる第１のＧＵＩ画面表示手段と、
前記第１のＧＵＩ画面表示手段で表示されたＧＵＩ画面のチャンネルリスト表示領域に表示されているチャンネルのリストから、前記クライアント端末に対する操作によって特定のチャンネルが選択され、前記クライアント端末が映像表示領域を有するＧＵＩ画面を生成した際、そのＧＵＩ画面の映像表示領域に組み込まれて当該映像表示領域のＧＵＩ画面内における位置及びサイズを識別するための基準信号を、前記放送受信装置から前記接続手段を介して前記クライアント端末に送信させる基準信号送信手段と、
前記基準信号送信手段で送信した基準信号を前記クライアント端末が映像表示領域に組み込んで生成したＧＵＩ画面を前記放送受信装置に入力させ、当該放送受信装置に、その入力されたＧＵＩ画面内から前記基準信号を抽出してＧＵＩ画面内における映像表示領域の位置及びサイズを検出させる検出手段と、
前記放送受信装置に、前記クライアント端末に対する操作によって選択されたチャンネルを受信させ、そのチャンネルの映像を前記検出手段で検出された映像表示領域に組み込んだＧＵＩ画面を前記映像表示器に表示させる第２のＧＵＩ画面表示手段とを具備することを特徴とする放送受信システム。
【発明の詳細な説明】
【技術分野】
【０００１】
この発明は、ネットワーク経由でサーバからコンテンツを取得するためのクライアント端末によって制御される放送受信装置、上記クライアント端末の制御に基づいて行なわれる放送受信方法及び上記クライアント端末の制御によって放送を受信する放送受信システムに関する。
【背景技術】
【０００２】
周知のように、近年では、例えばＬＡＮ（local area network）等のネットワークを経由して映像コンテンツを送受信するための規格として、ＵＰｎＰ（universal plug and play）技術に基づいてＤＬＮＡ（digital living network alliance）が提唱するガイドラインが採用されてきている。
【０００３】
そして、この規格においては、ネットワークに接続された、例えばＰＣ（personal computer）やＨＤＤ（hard disk drive）等でなる各種サーバから、ユーザが所望のコンテンツを取得して視聴するために、ＤＭＡ（digital media adapter）と称されるクライアント端末が使用されている。
【０００４】
このクライアント端末は、ネットワーク経由で各種のサーバに選択的にアクセスしてデータ通信を行なう機能を有するとともに、例えばＨＤＭＩ（high definition multimedia interface）規格等に準拠したデジタルインターフェースを介してテレビジョン受信機とデータ通信を行なう機能を有している。
【０００５】
そして、このクライアント端末は、ユーザの操作に基づいて、ネットワーク経由で特定のサーバにアクセスして所望のコンテンツを取得し、その取得したコンテンツを、デジタルインターフェースを介してテレビジョン受信機に送信して映像表示や音声再生を行なわせるように機能している。
【０００６】
ところで、上記のように、クライアント端末で取得したコンテンツをテレビジョン受信機で視聴するシステムにあっては、同じテレビジョン受信機で、クライアント端末によりサーバから取得したコンテンツを視聴することと、テレビジョン放送番組を受信して視聴することとを選択的に行なうことになる。
【０００７】
このため、ユーザは、クライアント端末によりサーバから取得したコンテンツの視聴を行なうか、または、テレビジョン放送番組の視聴を行なうかに応じて、その都度、テレビジョン受信機の入力モードをデジタルインターフェース側と放送受信側とに切り替える操作を行なう必要が生じる。
【０００８】
また、ユーザは、クライアント端末でサーバやコンテンツを選択する場合には、クライアント端末のリモートコントローラを操作し、テレビジョン放送のチャンネルを選択する場合には、テレビジョン受信機のリモートコントローラを操作する必要があり、ユーザにとって操作が煩雑になっている。
【０００９】
特許文献１には、テレビジョン放送から取得した映像信号と、インターネットから取得した映像信号とを、それぞれ水平方向に圧縮して横並びに合成し、テレビジョン放送から取得した映像信号と、インターネットから取得した映像信号と、合成した映像信号とを切り替えて画面に表示させるようにした構成が開示されている。
【特許文献１】特開平１０−０５１７０３号公報
【発明の開示】
【発明が解決しようとする課題】
【００１０】
そこで、この発明は上記事情を考慮してなされたもので、ネットワーク経由でサーバからコンテンツを取得するためのクライアント端末によって制御可能とすることにより、ユーザの操作を容易化して取り扱いを便利にし得るようにした放送受信装置、放送受信方法及び放送受信システムを提供することを目的とする。
【課題を解決するための手段】
【００１１】
すなわち、この発明に係る放送受信装置は、ネットワーク上でサーバからコンテンツを取得するためのクライアント端末が、サーバの１つとして認識することができるように自機器をネットワークに接続するための接続手段と、接続手段を介してクライアント端末から供給されるコンテンツリスト取得要求に基づき、放送に関するサービス情報から生成したチャンネルリストを、接続手段を介してクライアント端末に送信するチャンネルリスト送信手段と、チャンネルリスト送信手段で送信したチャンネルリストに基づいてクライアント端末が生成した、チャンネルリスト表示領域を有するＧＵＩ画面を映像表示器に表示させる第１のＧＵＩ画面表示手段と、第１のＧＵＩ画面表示手段で表示されたＧＵＩ画面のチャンネルリスト表示領域に表示されているチャンネルのリストから、クライアント端末に対する操作によって特定のチャンネルが選択され、クライアント端末が映像表示領域を有するＧＵＩ画面を生成した際、そのＧＵＩ画面の映像表示領域に組み込まれて当該映像表示領域のＧＵＩ画面内における位置及びサイズを識別するための基準信号を、接続手段を介してクライアント端末に送信する基準信号送信手段と、基準信号送信手段で送信した基準信号をクライアント端末が映像表示領域に組み込んで生成したＧＵＩ画面内から基準信号を抽出して、当該ＧＵＩ画面内における映像表示領域の位置及びサイズを検出する検出手段と、クライアント端末に対する操作によって選択されたチャンネルを受信し、そのチャンネルの映像を検出手段で検出された映像表示領域に組み込んだＧＵＩ画面を映像表示器に表示させる第２のＧＵＩ画面表示手段とを備えるようにしたものである。
【００１２】
また、この発明に係る放送受信方法は、ネットワーク上でサーバからコンテンツを取得するためのクライアント端末が、サーバの１つとして認識することができるように放送受信装置をネットワークに接続する第１の工程と、ネットワークを介してクライアント端末から供給されるコンテンツリスト取得要求に基づき、放送に関するサービス情報から生成したチャンネルリストを、ネットワークを介してクライアント端末に送信する第２の工程と、第２の工程で送信したチャンネルリストに基づいてクライアント端末が生成した、チャンネルリスト表示領域を有するＧＵＩ画面を映像表示器に表示させる第３の工程と、第３の工程で表示されたＧＵＩ画面のチャンネルリスト表示領域に表示されているチャンネルのリストから、クライアント端末に対する操作によって特定のチャンネルが選択され、クライアント端末が映像表示領域を有するＧＵＩ画面を生成した際、そのＧＵＩ画面の映像表示領域に組み込まれて当該映像表示領域のＧＵＩ画面内における位置及びサイズを識別するための基準信号を、ネットワークを介してクライアント端末に送信する第４の工程と、第４の工程で送信した基準信号をクライアント端末が映像表示領域に組み込んで生成したＧＵＩ画面内から基準信号を抽出して、当該ＧＵＩ画面内における映像表示領域の位置及びサイズを検出する第５の工程と、クライアント端末に対する操作によって選択されたチャンネルを受信し、そのチャンネルの映像を第５の工程で検出された映像表示領域に組み込んだＧＵＩ画面を映像表示器に表示させる第６の工程とを備えるようにしたものである。
【００１３】
さらに、この発明に係る放送受信システムは、ネットワーク上でサーバからコンテンツを取得するためのクライアント端末が、サーバの１つとして認識することができるように放送受信装置をネットワークに接続させる接続手段と、接続手段を介してクライアント端末から供給されるコンテンツリスト取得要求に基づき、放送受信装置が放送に関するサービス情報から生成したチャンネルリストを、接続手段を介してクライアント端末に送信させるチャンネルリスト送信手段と、チャンネルリスト送信手段で送信したチャンネルリストに基づいてクライアント端末が生成した、チャンネルリスト表示領域を有するＧＵＩ画面を、放送受信装置に入力させて映像表示器に表示させる第１のＧＵＩ画面表示手段と、第１のＧＵＩ画面表示手段で表示されたＧＵＩ画面のチャンネルリスト表示領域に表示されているチャンネルのリストから、クライアント端末に対する操作によって特定のチャンネルが選択され、クライアント端末が映像表示領域を有するＧＵＩ画面を生成した際、そのＧＵＩ画面の映像表示領域に組み込まれて当該映像表示領域のＧＵＩ画面内における位置及びサイズを識別するための基準信号を、放送受信装置から接続手段を介してクライアント端末に送信させる基準信号送信手段と、基準信号送信手段で送信した基準信号をクライアント端末が映像表示領域に組み込んで生成したＧＵＩ画面を放送受信装置に入力させ、当該放送受信装置に、その入力されたＧＵＩ画面内から基準信号を抽出してＧＵＩ画面内における映像表示領域の位置及びサイズを検出させる検出手段と、放送受信装置に、クライアント端末に対する操作によって選択されたチャンネルを受信させ、そのチャンネルの映像を検出手段で検出された映像表示領域に組み込んだＧＵＩ画面を映像表示器に表示させる第２のＧＵＩ画面表示手段とを備えるようにしたものである。
【発明の効果】
【００１４】
上記した発明によれば、ネットワーク経由でサーバからコンテンツを取得するためのクライアント端末によって放送受信装置を制御可能とするようにしたので、ユーザの操作を容易化して取り扱いを便利にすることができるようになる。
【発明を実施するための最良の形態】
【００１５】
以下、この発明の実施の形態について図面を参照して詳細に説明する。図１は、この実施の形態で説明するネットワークシステムを概略的に示している。このネットワークシステムは、デジタルテレビジョン放送受信装置１１と、ＤＭＡであるクライアント端末１２と、例えばＰＣやＨＤＤ等でなる複数のサーバ１３１〜１３ｎとを、ＬＡＮ１４上に接続し、ＤＬＮＡの提唱するガイドラインに準拠した形態でデータ通信が行なわれるように構築したものである。
【００１６】
この場合、上記クライアント端末１２は、そのリモートコントローラ１５の操作に基づき、ＬＡＮ１４を介して各種のサーバ１３１〜１３ｎに選択的にアクセスして、所望のコンテンツを取得する機能を有している。そして、このクライアント端末１２は、サーバ１３１〜１３ｎから取得したコンテンツを、例えばＨＤＭＩ規格等のデジタルインターフェースに準拠した形態で、ケーブル１６を介してデジタルテレビジョン放送受信装置１１に送信し、映像表示や音声再生を行なわせるように機能している。
【００１７】
また、上記デジタルテレビジョン放送受信装置１１は、そのリモートコントローラ１７を操作して、デジタルテレビジョン放送受信装置１１の入力モードをケーブル１６側とアンテナ１７側とに選択的に切り替えることにより、クライアント端末１２からケーブル１６を介して供給されるコンテンツを映像表示や音声再生する機能と、アンテナ１８を介して受信したテレビジョン放送番組を映像表示や音声再生する機能とをそれぞれ実現することができる。なお、このデジタルテレビジョン放送受信装置１１は、そのリモートコントローラ１７を操作してテレビジョン放送のチャンネルを選択することが可能である。
【００１８】
ところで、クライアント端末１２から供給されるコンテンツを視聴する場合と、アンテナ１８で受信したテレビジョン放送番組を視聴する場合とで、その都度、デジタルテレビジョン放送受信装置１１の入力モードをケーブル１６側とアンテナ１８側とに切り替えることや、サーバ１３１〜１３ｎやコンテンツを選択する場合に、クライアント端末１２のリモートコントローラ１５を操作し、テレビジョン放送のチャンネルを選択する場合に、デジタルテレビジョン放送受信装置１１のリモートコントローラ１７を操作することは、ユーザにとって操作が煩雑になる。
【００１９】
そこで、この実施の形態では、クライアント端末１２がＬＡＮ１４上でデジタルテレビジョン放送受信装置１１をサーバの１つとして認識することができるように、デジタルテレビジョン放送受信装置１１にサーバ機能を搭載している。そして、クライアント端末１２が、そのリモートコントローラ１５の操作に基づいて各サーバ１３１〜１３ｎやコンテンツを選択する機能を利用することにより、クライアント端末１２が、そのリモートコントローラ１５の操作に基づいてデジタルテレビジョン放送受信装置１１に対してチャンネルの選択を行なえるようにしている。
【００２０】
すなわち、デジタルテレビジョン放送受信装置１１の入力モードをケーブル１６側に切り替えておけば、ユーザが、クライアント端末１２のリモートコントローラ１５を操作するだけで、各サーバ１３１〜１３ｎやコンテンツを選択して視聴することと、テレビジョン放送のチャンネルを選択して視聴することとをそれぞれ制御することができるようになり、ユーザの操作を容易化して取り扱いを便利にするようにしている。
【００２１】
図２は、上記したデジタルテレビジョン放送受信装置１１の主要な信号処理系を示している。すなわち、ＢＳ／ＣＳデジタル放送受信用のアンテナ１８ａで受信した衛星デジタル放送信号は、入力端子１９を介して衛星デジタル放送用のチューナ２０に供給されることにより、所望のチャンネルの放送信号が選局される。
【００２２】
そして、このチューナ２０で選局された放送信号は、ＰＳＫ（phase shift keying）復調器２１に供給されてＴＳ（transport stream）が復調される。このＴＳは、ＴＳ復号器２２に供給されてデジタルの映像信号及び音声信号等に復号化された後、信号処理部２３に出力される。
【００２３】
また、地上波放送受信用のアンテナ１８ｂで受信した地上デジタルテレビジョン放送信号は、入力端子２４を介して地上デジタル放送用のチューナ２５に供給されることによって、所望のチャンネルの放送信号が選局される。
【００２４】
そして、このチューナ２５で選局された放送信号は、ＯＦＤＭ（orthogonal frequency division multiplexing）復調器２６に供給されてＴＳが復調される。このＴＳは、ＴＳ復号器２７に供給されてデジタルの映像信号及び音声信号に復号化された後、上記信号処理部２３に出力される。
【００２５】
また、上記地上波放送受信用のアンテナ１８ｂで受信した地上アナログテレビジョン放送信号は、入力端子２４を介して地上アナログ放送用のチューナ２８に供給されることにより、所望のチャンネルの放送信号が選局される。そして、このチューナ２８で選局された放送信号は、アナログ復調器２９に供給されてアナログの映像信号及び音声信号に復調された後、上記信号処理部２３に出力される。
【００２６】
ここで、上記信号処理部２３は、ＴＳ復号器２２，２７からそれぞれ供給されたデジタルの映像信号及び音声信号に対して、選択的に所定のデジタル信号処理を施し、グラフィック処理部３０及び音声処理部３１に出力している。
【００２７】
また、上記信号処理部２３には、複数（図示の場合は４つ）の入力端子３２ａ，３２ｂ，３２ｃ，３２ｄが接続されている。これら入力端子３２ａ〜３２ｄは、それぞれ、アナログの映像信号及び音声信号を、デジタルテレビジョン放送受信装置１１の外部から入力可能とするものである。
【００２８】
そして、この信号処理部２３は、上記アナログ復調器２９及び各入力端子３２ａ〜３２ｄからそれぞれ供給されたアナログの映像信号及び音声信号を選択的にデジタル化し、そのデジタル化された映像信号及び音声信号に対して所定のデジタル信号処理を施した後、グラフィック処理部３０及び音声処理部３１に出力している。
【００２９】
このうち、グラフィック処理部３０は、信号処理部２３から供給されるデジタルの映像信号に、ＯＳＤ（on screen display）信号生成部３３で生成されるＯＳＤ信号を重畳して出力する機能を有する。また、このグラフィック処理部３０は、信号処理部２３の出力映像信号と、ＯＳＤ信号生成部３３の出力ＯＳＤ信号とを選択的に出力することや、両出力をそれぞれ画面の半分を構成するように組み合わせて出力することができる。
【００３０】
そして、グラフィック処理部３０から出力されたデジタルの映像信号は、映像処理部３４に供給される。この映像処理部３４は、入力されたデジタルの映像信号を、映像表示器３５で表示可能なフォーマットのアナログ映像信号に変換した後、映像表示器３５に出力して映像表示させるとともに、出力端子３６を介して外部に導出させる。
【００３１】
また、上記音声処理部３１は、入力されたデジタルの音声信号を、スピーカ３７で再生可能なフォーマットのアナログ音声信号に変換した後、スピーカ３７に出力して音声再生させるとともに、出力端子３８を介して外部に導出させる。
【００３２】
ここで、このデジタルテレビジョン放送受信装置１１は、上記した各種の受信動作を含むその全ての動作を制御部３９によって統括的に制御されている。この制御部３９は、ＣＰＵ（central processing unit）３９ａを内蔵しており、操作部４０からの操作情報を受け、または、前記リモートコントローラ１７から送出され受光部４１で受信した操作情報を受けて、その操作内容が反映されるように各部をそれぞれ制御している。
【００３３】
この場合、制御部３９は、主として、そのＣＰＵ３９ａが実行する制御プログラムを格納したＲＯＭ（read only memory）３９ｂと、該ＣＰＵ３９ａに作業エリアを提供するＲＡＭ（random access memory）３９ｃと、各種の設定情報及び制御情報等が格納される不揮発性メモリ３９ｄとを利用している。
【００３４】
また、この制御部３９は、サーバ機能を有するＬＡＮ Ｉ／Ｆ（interface）４２及びＬＡＮ端子４３を介して、前記ＬＡＮ１４に接続されている。これにより、制御部３９は、ＬＡＮ１４上のクライアント端末１２や各種サーバ１３１〜１３ｎ等と、ＬＡＮ Ｉ／Ｆ４２を介してデータ通信を行なうことができる。
【００３５】
さらに、上記制御部３９は、ＨＤＭＩ Ｉ／Ｆ４４及びＨＤＭＩ端子４５を介して、前記ケーブル１６に接続されている。これにより、制御部３９は、クライアント端末１２からケーブル１６を介して出力されるＨＤＭＩ規格に準拠したコンテンツを、ＨＤＭＩ Ｉ／Ｆ４４を介して受信することができる。
【００３６】
また、上記制御部３９は、コンテンツリスト作成部３９ｅ、基準信号生成抽出部３９ｆ及び重畳処理部３９ｇ等を備えている。このうち、コンテンツリスト作成部３９ｅは、予め放送信号やネットワーク（ＬＡＮ１４）等を介して取得したテレビジョン放送に関するサービス情報から、テレビジョン放送チャンネルに関するリストとしてコンテンツリストを作成している。このコンテンツリスト作成部３９ｅで作成されたコンテンツ（チャンネル）リストは、クライアント端末１２からの要求により、ＬＡＮ Ｉ／Ｆ４２及びＬＡＮ端子４３を介してＬＡＮ１４上に送信される。
【００３７】
さらに、上記基準信号生成抽出部３９ｆは、詳細は後述するが、クライアント端末１２がＧＵＩ（graphical user interface）画面を生成する際に、ＧＵＩ画面に組み込むための擬似映像信号となる基準信号を生成している。この基準信号としては、例えば色や絵柄が時間とともに変化するような静止画が用いられる。この基準信号は、クライアント端末１２からの要求により、ＬＡＮ Ｉ／Ｆ４２及びＬＡＮ端子４３を介してＬＡＮ１４上に送信される。
【００３８】
また、この基準信号生成抽出部３９ｆは、クライアント端末１２からケーブル１６を介して供給されたＧＵＩ画面から、そこに組み込まれている基準信号の位置及びサイズを抽出している。
【００３９】
さらに、上記重畳処理部３９ｇは、クライアント端末１２からケーブル１６を介して供給されたＧＵＩ画面の中の、基準信号生成抽出部３９ｆで抽出された基準信号の組み込まれている位置に、デジタルテレビジョン放送受信装置１１が受信したテレビジョン放送番組の映像を重畳する機能を有する。
【００４０】
上記のような構成において、以下、その動作について説明する。すなわち、ユーザは、クライアント端末１２のリモートコントローラ１５を操作して、クライアント端末１２にサーバ選択用のＧＵＩ画面の表示を要求する。すると、クライアント端末１２は、ＬＡＮ１４上に接続されている全てのサーバ１３１〜１３ｎを検出する。この場合、クライアント端末１２は、先にも述べたように、デジタルテレビジョン放送受信装置１１もサーバの１つとして検出する。
【００４１】
そして、クライアント端末１２は、検出結果に基づいて、図３に示すようなサーバ選択用のＧＵＩ画面を生成する。このサーバ選択用のＧＵＩ画面は、ケーブル１６を介してデジタルテレビジョン放送受信装置１１に出力され、その映像表示器３５に表示される。この場合、サーバ選択用のＧＵＩ画面には、デジタルテレビジョン放送受信装置１１もサーバ１３１〜１３ｎの１つとして含まれている（図３では、ＴＶと表記）。
【００４２】
ユーザは、映像表示器３５に表示されたサーバ選択用のＧＵＩ画面を見ながら、クライアント端末１２のリモートコントローラ１５を操作することにより、所望のサーバ（ここではサーバ１３１とする）を選択して決定する。
【００４３】
このようにして特定のサーバ１３１が指定されると、以下、図４に示す処理動作が行なわれる。すなわち、クライアント端末１２は、ステップＳ４ａで、ＬＡＮ１４を介してサーバ１３１にコンテンツリストの要求を行ない、サーバ１３１は、ステップＳ４ｂで、ＬＡＮ１４を介して自己の有するコンテンツのリストをクライアント端末１２に送信する。
【００４４】
すると、クライアント端末１２は、サーバ１３１から供給されたコンテンツリストに基づいて、図５に示すようなコンテンツ選択用のＧＵＩ画面を生成し、ステップＳ４ｃで、ケーブル１６を介してコンテンツ選択用のＧＵＩ画面をデジタルテレビジョン放送受信装置１１に出力し、その映像表示器３５に表示させる。
【００４５】
このコンテンツ選択用のＧＵＩ画面は、映像表示領域４６とコンテンツリストを表示するリスト表示領域４７とを有している。コンテンツ選択用のＧＵＩ画面の映像表示領域４６には、クライアント端末１２が暫定的にリスト内から選択するコンテンツ（例えばリストの先頭、コンテンツ１）の映像が、クライアント端末１２によりコンテンツ選択用のＧＵＩ画面に組み込まれて表示されている。
【００４６】
そして、ユーザは、映像表示器３５に表示されたコンテンツ選択用のＧＵＩ画面のリスト表示領域４７と、映像表示領域４６に表示される暫定的に選択されているコンテンツの映像とを見ながら、クライアント端末１２のリモートコントローラ１５を操作することにより、所望のコンテンツを選択して決定する。
【００４７】
上記のような映像表示領域４６にコンテンツが表示されるまでの詳細を以下に述べる。クライアント端末１２は、ステップＳ４ｄで、ＬＡＮ１４を介してサーバ１３１にコンテンツの要求を行ない、サーバ１３１は、ステップＳ４ｅで、要求されたコンテンツをＬＡＮ１４経由でクライアント端末１２に送信する。ステップＳ４ｄ、Ｓ４ｅは、ユーザが異なるコンテンツを選択するたびに行なわれる。
【００４８】
その後、クライアント端末１２は、サーバ１３１から取得したコンテンツの映像を、コンテンツ選択用のＧＵＩ画面の映像表示領域４６に組み込み、ステップＳ４ｆで、そのＧＵＩ画面をケーブル１６経由でデジタルテレビジョン放送受信装置１１に出力し、その映像表示器３５に表示させる。
【００４９】
これにより、ユーザの要求したコンテンツの映像が映像表示領域４６に表示されたコンテンツ選択用のＧＵＩ画面が、デジタルテレビジョン放送受信装置１１の映像表示器３５に表示されることになって、ここに、ユーザによるサーバ１３１〜１３ｎ及びコンテンツの選択と、選択されたコンテンツの映像表示とが行なわれることになる。
【００５０】
なお、クライアント端末１２は、コンテンツが選択された後は、映像表示領域４６が映像表示器３５の画面一杯となるようなＧＵＩ画面を生成し、そのＧＵＩ画面をデジタルテレビジョン放送受信装置１１に送信して、その映像表示器３５に表示させるようにすることもできる。
【００５１】
また、映像表示領域４６が映像表示器３５の画面一杯となるようなＧＵＩ画面を生成するか否かは、ユーザがクライアント端末１２のリモートコントローラ１５を操作して任意に設定可能とすることもできる。
【００５２】
次に、図３に示したサーバ選択用のＧＵＩ画面において、ユーザが、クライアント端末１２のリモートコントローラ１５を操作することにより、デジタルテレビジョン放送受信装置１１（ＴＶ）を選択して決定した場合について説明する。
【００５３】
このようにデジタルテレビジョン放送受信装置１１が指定されると、以下、図６に示す処理動作が行なわれる。すなわち、クライアント端末１２は、ステップＳ６ａで、ＬＡＮ１４を介してデジタルテレビジョン放送受信装置１１にコンテンツリストを要求する。すると、デジタルテレビジョン放送受信装置１１は、ステップＳ６ｂで、ＬＡＮ１４を介してコンテンツリスト作成部３９ｅで作成したコンテンツ（チャンネル）リストをクライアント端末１２に送信する。
【００５４】
このため、クライアント端末１２は、デジタルテレビジョン放送受信装置１１から供給されたコンテンツ（チャンネル）リストに基づいて、図７に示すようなチャンネル選択用のＧＵＩ画面を生成し、ステップＳ６ｃで、ケーブル１６を介してチャンネル選択用のＧＵＩ画面をデジタルテレビジョン放送受信装置１１に出力し、その映像表示器３５に表示させる。
【００５５】
このチャンネル選択用のＧＵＩ画面は、映像表示領域４８とコンテンツ（チャンネル）リストを表示するリスト表示領域４９とを有している。チャンネル選択用のＧＵＩ画面の映像表示領域４８には、最終的にはサーバ１３１が指定された場合の例と同様に、クライアント端末１２が暫定的にリスト内から選択するコンテンツ（チャンネル）の映像、または、ユーザが映像表示器３５に表示されたチャンネル選択用のＧＵＩ画面のリスト表示領域４９を見ながら、クライアント端末１２のリモートコントローラ１５を操作することにより選択した所望のコンテンツ（チャンネル）の映像が提示されるのだが、サーバ１３１での例と異なり、クライアント端末１２ではなく、デジタルテレビジョン放送受信装置１１が自身のコンテンツ（チャンネル）の映像をクライアント端末１２から得るチャンネル選択用のＧＵＩ画面に組み込み表示することになる。
【００５６】
上記の映像表示領域４８にコンテンツが表示されるまでの詳細を以下に述べる。サーバ１３１での例と同様に、クライアント端末１２は、ステップＳ６ｄで、ＬＡＮ１４を介してデジタルテレビジョン放送受信装置１１に、選択決定されたチャンネルの受信を要求する。
【００５７】
すると、サーバ１３１での例では要求に対応するコンテンツを送信するが、デジタルテレビジョン放送受信装置１１は、ステップＳ６ｅで、基準信号生成抽出部３９ｆで生成した基準信号を、ＬＡＮ１４を介してクライアント端末１２に送信する。
【００５８】
このため、クライアント端末１２は、デジタルテレビジョン放送受信装置１１から取得した基準信号を、チャンネル選択用のＧＵＩ画面の映像表示領域４８に組み込み、ステップＳ６ｆで、そのＧＵＩ画面をケーブル１６経由でデジタルテレビジョン放送受信装置１１に出力する。
【００５９】
すると、デジタルテレビジョン放送受信装置１１は、ケーブル１６を介して供給されたチャンネル選択用のＧＵＩ画面から、基準信号生成抽出部３９ｆにより基準信号を抽出することにより、ＧＵＩ画面内における映像表示領域４８の位置及びサイズを検出する。
【００６０】
一方、デジタルテレビジョン放送受信装置１１は、クライアント端末１２から要求されたチャンネルの受信を行ない、当該チャンネルで得られた映像を、基準信号生成抽出部３９ｆで検出されたサイズに圧縮し、重畳処理部３９ｇにより基準信号生成抽出部３９ｆで検出された位置、つまり、チャンネル選択用のＧＵＩ画面内における映像表示領域４８に組み込み、そのＧＵＩ画面を映像表示器３５に表示させる。
【００６１】
これにより、ユーザの要求したチャンネルの映像が映像表示領域４８に表示されたチャンネル選択用のＧＵＩ画面が、デジタルテレビジョン放送受信装置１１の映像表示器３５に表示されることになり、ここに、ユーザによるテレビジョン放送チャンネルの選択と、選択されたチャンネルの映像表示とが行なわれることになる。
【００６２】
なお、クライアント端末１２は、チャンネルが選択された後は、映像表示領域４８が映像表示器３５の画面一杯となるようなＧＵＩ画面を生成し、そのＧＵＩ画面をデジタルテレビジョン放送受信装置１１に送信して、その映像表示器３５に表示させるようにすることもできる。
【００６３】
また、映像表示領域４８が映像表示器３５の画面一杯となるようなＧＵＩ画面を生成するか否かは、ユーザがクライアント端末１２のリモートコントローラ１５を操作して任意に設定可能とすることもできる。
【００６４】
上記した実施の形態によれば、デジタルテレビジョン放送受信装置１１の入力モードをケーブル１６側に切り替えておくことにより、ユーザが、クライアント端末１２のリモートコントローラ１５を操作するだけで、各サーバ１３１〜１３ｎやコンテンツの選択と、テレビジョン放送チャンネルの選択とをそれぞれ行なうことができるようになるので、ユーザの操作を容易化して取り扱いを便利にすることができる。
【００６５】
また、デジタルテレビジョン放送受信装置１１は、ＬＡＮ１４を介して基準信号を出力し、クライアント端末１２は、基準信号を組み込んだＧＵＩ画面を生成し、そのＧＵＩ画面がケーブル１６を介してデジタルテレビジョン放送受信装置１１に供給されている。そして、デジタルテレビジョン放送受信装置１１の内部において、基準信号で示される位置に受信したチャンネルの映像が組み込まれるようにしている。
【００６６】
すなわち、デジタルテレビジョン放送受信装置１１が受信したチャンネルで放送されている番組のデータは、デジタルテレビジョン放送受信装置１１の外部に一切出力されない構成となっているため、ＬＡＮ１４やケーブル１６におけるデータ伝送にコピー保護が図られているか否かに無関係に、十分なコピー保護を行なうことができる。
【００６７】
このため、クライアント端末１２が生成した各種のＧＵＩ画面は、ケーブル１６を介してデジタルテレビジョン放送受信装置１１に伝送するのに代えて、ＬＡＮ１４を介してデジタルテレビジョン放送受信装置１１に伝送するようにすることもできる。
【００６８】
また、上記した実施の形態では、デジタルテレビジョン放送受信装置１１とクライアント端末１２とを別体としたが、デジタルテレビジョン放送受信装置１１内にクライアント端末１２を一体的に組み込む構成とすることも考えられる。
【００６９】
図８及び図９は、上記したデジタルテレビジョン放送受信装置１１が行なう主要な処理動作をまとめたフローチャートを示している。まず、処理が開始（ステップＳ８ａ）されると、制御部３９は、ステップＳ８ｂで、ＣＤＳ（content directory service）の更新を実行する。
【００７０】
すなわち、ＵＰｎＰでは、サーバの機能として、ＣＤＳと称される、その機器が保有するコンテンツのＸＭＬ（extensible markup language）形式のリストと、そのリストを操作するためのサービスとを定義している。
【００７１】
そして、ＣＤＳでは、コンテンツリストに対する操作を、ＳＯＡＰ（simple object access protocol）で実現されるアクションの要求で受け付け応答するサービスを、接続機器に対して提供している。ＳＯＡＰは、ＸＭＬをベースとしたメッセージ交換のためのプロトコルであり、このメッセージはＨＴＴＰ（hypertext transfer protocol）により伝送される。
【００７２】
コンテンツリスト作成部３９ｅに渡されるＸＭＬには、地上波、ＢＳ（broadcasting satellite）、ＣＳ（communication satellite）等の放送メディアの種類と、それぞれのメディアに含まれる放送局名、チャンネル番号、さらに、局毎で放送している番組名、番組のジャンル等が含まれる。
【００７３】
また、そのＸＭＬには、映像データの情報も含むことになるが、フォーマットとしてはＤＬＮＡのデフォルトであるＭＰＥＧ−ＰＳ（moving picture experts Group−program stream）を記述している。コンテンツリスト作成部３９ｅでは、それぞれの番組に対してコンテンツの取得先となるＵＲＬ（uniform resource identifiers）を一意に特定できるように付加し、対応関係を保持している。
【００７４】
その後、制御部３９は、ステップＳ８ｃで、クライアント端末１２からＬＡＮ１４経由でコンテンツ（チャンネル）リストが要求されたか否かを判別し、要求されたと判断された場合（ＹＥＳ）、ステップＳ８ｄで、コンテンツ（チャンネル）リストをＬＡＮ１４経由でクライアント端末１２に送信する。
【００７５】
次に、制御部３９は、ユーザがデジタルテレビジョン放送受信装置１１に対して行なう入力信号の切り替え、または、ステップＳ８ｃで要求されたと判断されたことをきっかけに、ステップＳ８ｅとしてクライアント端末１２からケーブル１６経由で供給されるチャンネル選択用のＧＵＩ画面を、映像表示器３５に表示させる。その後、制御部３９は、ステップＳ８ｆで、チャンネルの選択決定が行なわれたか否かを、後述のようなＨＴＴＰのＧｅｔメソットの受信により判別する。
【００７６】
ＵＰｎＰでは、ＳＳＤＰ（simple service discovery protocol）と称される手法で、ＬＡＮ１４上の機器を探したり、自機器の存在をＬＡＮ１４上の他機器へ通知する。コンテンツリスト作成部３９ｅは、その存在をクライアント端末１２に案内し、クライアント端末１２からのチャンネル選択要求を受け付ける。
【００７７】
クライアント端末１２は、一般にＣＤＳの情報に基づいて、ユーザにコンテンツ（チャンネル）の内容を提示する。ユーザがチャンネルを選択した場合の受信要求は、そのチャンネルに対応するＵＲＩに対するＨＴＴＰのＧｅｔメソッドとして行なわれる。コンテンツリスト作成部３９ｅは、ＵＲＩから受信要求のあったチャンネルを割り出し、実際の選局動作に供させている。
【００７８】
上記ステップＳ８ｆでチャンネルが決定されたと判断された場合（ＹＥＳ）、制御部３９は、ステップＳ８ｇで、基準信号をＬＡＮ１４経由でクライアント端末１２に送信する。この場合、制御部３９は、基準信号生成抽出部３９ｆを作動させ、コンテンツリスト作成部３９ｅが行なうＧｅｔメソッドの応答に用いさせる。基準信号生成抽出部３９ｆでは、例えば色や時間変化する静止画をＭＰＥＧ−ＰＳフォーマットに変換し基準信号を生成する。
【００７９】
その後、制御部３９は、ステップＳ９ａで、クライアント端末１２から基準信号が組み込まれたＧＵＩ画面をケーブル１６経由で入力し、ステップＳ９ｂで、入力したＧＵＩ画面から基準信号を抽出し、それが組み込まれている位置及びサイズを検出する。
【００８０】
基準信号生成抽出部３９ｆでは、入力されたＧＵＩ画面の中に基準信号生成抽出部３９ｆが生成した基準信号が重畳されているか否かを常時監視している。そして、基準信号が色差の場合では構成する色、時間差の場合にはフレーム間の差分情報に基づいて、重畳されている基準信号の位置及びサイズを検出する。
【００８１】
そして、制御部３９は、ステップＳ９ｃで、検出された基準信号のサイズに変化があったか否かを判別し、変化があると判断された場合（ＹＥＳ）、ステップＳ９ｄで、検出されたサイズに対応させて、受信した番組の映像にスケーリング処理を施した後、ステップＳ９ｅで、ＧＵＩ画面の基準信号が検出された位置に基準信号をスケーリング処理された番組映像で覆い隠すように組み込んで表示し、処理を終了（ステップＳ９ｆ）する。なお、上記ステップＳ９ｃで検出された基準信号のサイズに変化がないと判断された場合（ＮＯ）、制御部３９は、直接ステップＳ９ｅの処理に移行する。
【００８２】
すなわち、基準信号のサイズに変化があった場合、基準信号生成抽出部３９ｆは、その情報を重畳処理部３９ｇに通知する。重畳処理部３９ｇでは、基準信号生成抽出部３９ｆから得たサイズ情報に基づいて、そのサイズに受信した番組の映像を圧縮し、基準信号の検出された位置に重ね合わせている。
【００８３】
なお、この発明は上記した実施の形態そのままに限定されるものではなく、実施段階ではその要旨を逸脱しない範囲で構成要素を種々変形して具体化することができる。また、上記した実施の形態に開示されている複数の構成要素を適宜に組み合わせることにより、種々の発明を形成することができる。例えば、実施の形態に示される全構成要素から幾つかの構成要素を削除しても良いものである。さらに、異なる実施の形態に係る構成要素を適宜組み合わせても良いものである。
【図面の簡単な説明】
【００８４】
【図１】この発明の実施の形態を示すもので、ネットワークシステムの概略を説明するために示すブロック構成図。
【図２】同実施の形態におけるネットワークシステムに接続されたデジタルテレビジョン放送受信装置の信号処理系を説明するために示すブロック構成図。
【図３】同実施の形態におけるデジタルテレビジョン放送受信装置が表示するサーバ選択用のＧＵＩ画面の一例を説明するために示す図。
【図４】同実施の形態におけるネットワークシステムで実行される処理動作の一例を説明するために示すフローチャート。
【図５】同実施の形態におけるデジタルテレビジョン放送受信装置が表示するコンテンツ選択用のＧＵＩ画面の一例を説明するために示す図。
【図６】同実施の形態におけるネットワークシステムで実行される処理動作の他の例を説明するために示すフローチャート。
【図７】同実施の形態におけるデジタルテレビジョン放送受信装置が表示するチャンネル選択用のＧＵＩ画面の一例を説明するために示す図。
【図８】同実施の形態におけるデジタルテレビジョン放送受信装置が行なう処理動作の一部を説明するために示すフローチャート。
【図９】同実施の形態におけるデジタルテレビジョン放送受信装置が行なう処理動作の残部を説明するために示すフローチャート。
【符号の説明】
【００８５】
１１…デジタルテレビジョン放送受信装置、１２…クライアント端末、１３１〜１３ｎ…サーバ、１４…ＬＡＮ、１５…リモートコントローラ、１６…ケーブル、１７…リモートコントローラ、１８…アンテナ、１８ａ…アンテナ、１８ｂ…アンテナ、１９…入力端子、２０…チューナ、２１…ＰＳＫ復調器、２２…ＴＳ復号器、２３…信号処理部、２４…入力端子、２５…チューナ、２６…ＯＦＤＭ復調器、２７…ＴＳ復号器、２８…チューナ、２９…アナログ復調器、３０…グラフィック処理部、３１…音声処理部、３２ａ〜３２ｄ…入力端子、３３…ＯＳＤ信号生成部、３４…映像処理部、３５…映像表示器、３６…出力端子、３７…スピーカ、３８…出力端子、３９…制御部、３９ａ…ＣＰＵ、３９ｂ…ＲＯＭ、３９ｃ…ＲＡＭ、３９ｄ…不揮発性メモリ、３９ｅ…コンテンツリスト作成部、３９ｆ…基準信号生成抽出部、３９ｇ…重畳処理部、４０…操作部、４１…受光部、４２…ＬＡＮ Ｉ／F、４３…ＬＡＮ端子、４４…ＨＤＭＩ Ｉ／Ｆ、４５…ＨＤＭＩ端子、４６…映像表示領域、４７…リスト表示領域、４８…映像表示領域、４９…リスト表示領域。
【要約】
【課題】この発明は、ネットワーク経由でサーバからコンテンツを取得するためのクライアント端末によって制御可能とすることにより、ユーザの操作を容易化して取り扱いを便利にし得るようにした放送受信装置、放送受信方法及び放送受信システムを提供することを目的としている。
【解決手段】クライアント端末（１２）がＬＡＮ（１４）上で放送受信装置（１１）をサーバとして認識するように、放送受信装置（１１）にサーバ機能を搭載する。クライアント端末（１２）が、リモートコントローラ（１５）の操作により各サーバ（１３１〜１３ｎ）やそのコンテンツを選択する機能を利用し、クライアント端末（１２）が、リモートコントローラ（１５）の操作により放送受信装置（１１）に対してチャンネルの選択を行なえるようにする。
【選択図】    図１【図１】
0004247295.tif 000002
【図２】
0004247295.tif 000003
【図３】
0004247295.tif 000004
【図４】
0004247295.tif 000005
【図５】
0004247295.tif 000006
【図６】
0004247295.tif 000007
【図７】
0004247295.tif 000008
【図８】
0004247295.tif 000009
【図９】
0004247295.tif 000010